(57)【要約】【課題】  複数の映像を複数のユーザーがそれぞれ視聴するときに他のユーザーのじゃまにならずに各々が見ている画面を操作することができる映像出力装置及び映像出力システムを提供する。【解決手段】  放送受信装置３０は、複数のチューナからの複数の映像を一つのディスプレイに画面分割によって表示する。リモコン送信機１７は、１画面キーが操作されたときには、放送受信装置３０に対して１画面表示モードを指令するとともに、第１のリモコンコードを採用する。一方、前記２画面キーが操作されたときには、２画面表示モードを指令するとともに、第２のリモコンコードを採用する。放送受信装置３０は、第１のリモコンコードの信号を受け取ると一方の画面に対する操作を実行し、第２のリモコンコードの信号を受け取ると他方の画面に対する操作を実行する。【選択図】        図１
2007074384.tif 000002
【特許請求の範囲】
【請求項１】
複数の映像ソースからの複数の映像を一つのディスプレイに画面分割によって表示する或いは複数のディスプレイにそれぞれ出力することができる複数映像出力手段と、複数のリモコンコードの解釈が可能であり、１画面表示モードでは特定の一つのリモコンコード又はどのリモコンコードの指令信号を受けた場合でも同一の処理を実行する一方、複数映像表示モードでは、各リモコンコードの信号は各映像画面に対する指令信号であるとして処理する手段と、を備えたことを特徴とする映像出力装置。
【請求項２】
請求項１に記載の映像出力装置とリモートコントローラとを備えた映像出力システムであって、前記リモートコントローラは異なるリモコンコードの指令信号を出力できるように構成されたことを特徴とする映像出力システム。
【請求項３】
請求項２に記載の映像出力システムにおいて、前記リモートコントローラにはリモコンコードを切り替えるためのスイッチが設けられていることを特徴とする映像出力システム。
【請求項４】
請求項２に記載の映像出力システムにおいて、前記リモートコントローラは、１画面表示モードと複数画面表示モードとの切り替えを映像出力装置に指令するためのキーを備えており、当該キーが操作されるとリモコンコードを切り替えることを特徴とする映像出力システム。
【請求項５】
請求項４に記載の映像出力システムにおいて、前記リモートコントローラの他に、リモコンコードの変更ができない第２のリモートコントローラを備えていることを特徴とする映像出力システム。
【発明の詳細な説明】
【技術分野】
【０００１】
この発明は、映像出力装置及び映像出力システムに関し、例えば、放送受信装置などとして利用される。
【背景技術】
【０００２】
複数のチューナ及び２画面合成回路を備え、二つのチューナで受信した映像のスケール変換及び２画面合成を実行して一つのモニタ上に表示する放送受信装置が提案されている（特許文献１参照）。
【０００３】
このような２画面合成が行える放送受信装置においては、例えば、以下に示す２画面操作方法によって操作を行うようになっている。図５は２画面操作方法を説明する状態遷移図及びこの操作に用いられるリモコン送信機２１を示した説明図である。前記リモコン送信機２１は、２画面キー及び操作切替キーを備えている。前記２画面キーは２画面の開始と終了を指令するキーである。前記操作切替キーは選択画面（操作対象となる画面：操作有効画面）の切替を指令するキーである。選択画面内のカーソル操作は上下左右決定キーを用いて行うことができる。
【特許文献１】特開平１１−２５２４７４号公報
【発明の開示】
【発明が解決しようとする課題】
【０００４】
ところで、上記の２画面表示で放送を視聴するのは、主として複数の視聴者がそれぞれ別の番組を見たい場合に行うことになる。しかしながら、上記の２画面操作方法では、リモコン送信機２１を用いて選択画面の切り替えを行った上で各画面の操作を行わなければならず、それぞれの視聴者が他の視聴者のじゃまになるという不満があった。
【０００５】
この発明は、上記の事情に鑑み、複数の映像を複数のユーザーがそれぞれ視聴するときに他のユーザーのじゃまにならずに各々が見ている画面を操作することができる映像出力装置及び映像出力システムを提供することを目的とする。
【課題を解決するための手段】
【０００６】
この発明の映像出力装置は、上記の課題を解決するために、複数の映像ソースからの複数の映像を一つのディスプレイに画面分割によって表示する或いは複数のディスプレイにそれぞれ出力することができる複数映像出力手段と、複数のリモコンコードの解釈が可能であり、１画面表示モードでは特定の一つのリモコンコード又はどのリモコンコードの指令信号を受けた場合でも同一の処理を実行する一方、複数映像表示モードでは、各リモコンコードの信号は各映像画面に対する指令信号であるとして処理する手段と、を備えたことを特徴とする。
【０００７】
上記の構成であれば、従来のような選択画面の切替といった操作を行うことなしに、異なるリモコンコードによって各映像画面に対する操作が行えるので、複数の映像を複数のユーザーがそれぞれ視聴するときに他のユーザーのじゃまにならずに各々が見ている画面を操作することができる。
【０００８】
また、この発明の映像出力システムは、上記構成の映像出力装置とリモートコントローラとを備えた映像出力システムであって、前記リモートコントローラは異なるリモコンコードの指令信号を出力できるように構成されたことを特徴とする（以下、この項において第１システムという）。
【０００９】
上記第１システムにおいて、前記リモートコントローラにはリモコンコードを切り替えるためのスイッチが設けられていてもよい。
【００１０】
上記第１システムにおいて、前記リモートコントローラは、１画面表示モードと複数画面表示モードとの切り替えを映像出力装置に指令するためのキーを備えており、当該キーが操作されるとリモコンコードを切り替えるようにしてもよい。かかる構成において、前記リモートコントローラの他に、リモコンコードの変更ができない第２のリモートコントローラを備えていてもよい。
【発明の効果】
【００１１】
この発明であれば、複数の映像を複数のユーザーがそれぞれ視聴するときに他のユーザーのじゃまにならずに各々が見ている画面を操作することができるという効果を奏する。
【発明を実施するための最良の形態】
【００１２】
以下、この発明の実施形態を図１乃至図４に基づいて説明する。
【００１３】
図１に示すように、この実施形態の放送受信装置３０は、３つのチューナ１Ａ，１Ｂ，１Ｃを備えている。３つのチューナ１Ａ，１Ｂ，１Ｃは、アナログチューナ又はディジタルチューナ又はこれらの混在である。アナログチューナは選局された周波数のアナログ放送波を受信し復調して映像信号を生成する。また、ディジタルチューナは、復調回路、逆インタリーブ回路、誤り訂正回路などを備えることにより、選択したディジタル変調信号を復調してトランスポート・ストリームを出力する。更に、ディジタルチューナは図示しないデマルチプレクサ（ＤＥＭＵＸ）を備える。デマルチプレクサは、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサは、ビデオストリームとオーディオストリームを図示しないＡＶデコーダに供給し、ＰＳＩ／ＳＩに含まれる番組情報等をシステムコントローラ１５に供給する。前記ＡＶデコーダによって映像信号及び音声信号が生成される。
【００１４】
信号切替器２Ａは、前記３つのチューナ１Ａ，１Ｂ，１Ｃのうちの動作中のチューナから出力される映像信号Ｖ１及び音声信号Ａ１を取り出す。信号切替器２Ｂは、２画面モードにおいて、他の動作中のチューナから出力される映像信号Ｖ２及び音声信号Ａ２を選択する。これら信号切替器２Ａ，２Ｂにおける切替はシステムコントローラ１５によって制御される。
【００１５】
セレクタ３は、通常モードでは音声信号Ａ１を出力する一方、２画面モードでは音声信号Ａ１と音声信号Ａ２の一方を選択して出力する。セレクタ３における音声選択はシステムコントローラ１５によって制御される。
【００１６】
２画面合成回路４は、通常モードでは映像信号Ｖ１を出力する一方、２画面モードでは映像信号Ｖ１と映像信号Ｖ２を合成して出力する。例えば、２画面合成回路４はシステムコントローラ１５から２画面実行指令を受け取ると偏向回路７からのタイミング信号を画面分割の境界を示す信号として用いて前記二つの映像信号Ｖ１，Ｖ２を合成する。２画面合成の処理自体はどのような処理でも構わない。
【００１７】
映像処理回路５は、通常モードの１画面映像信号又は２画面モードの２画面映像信号に、ＯＳＤ回路１６からの付加映像を重畳する。ＯＳＤ回路１６はシステムコントローラ１５から出力指示された文字情報や色情報に基づく映像情報を生成する回路であり、このＯＳＤ回路１６により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示、メッセージ表示などが行える。
【００１８】
映像出力回路６は、映像処理回路５から出力された映像信号を例えばＲＧＢ信号に変換してモニタ（この例ではＣＲＴを用いている）９に与える。モニタ９は前記ＲＧＢ信号と偏向回路７及び高圧回路８からの信号によって駆動される。映像出力端子１０には映像処理回路５から出力された映像信号が供給される。
【００１９】
音声処理回路１１は、セレクタ３から出力された音信信号を受け取って、例えば右（Ｒ）音のアナログ信号及び左（Ｌ）音のアナログ信号を生成する。音声出力回路１２は増幅器等を備えて前記音声信号にてスピーカ１３を駆動する。音声出力端子１４には音声処理回路１１から出力された音声信号が供給される。
【００２０】
図示しないメモリ（ＲＡＭ、ＥＥＰＲＯＭ、フラッシュメモリ、ＲＯＭ等）には、ＥＰＧ用の番組情報の他、メニュー画面上でユーザーにより設定された内容（設定情報）が格納される。
【００２１】
リモコン送信機（リモートコントローラ）１７は、当該放送受信装置３０に指令を送出するための送信機である。このリモコン送信機１７は、図２に示すように、各種キーを備える。このリモコン送信機１７に設けられたキーを操作すると、そのキーに対応した指令を意味する信号光（リモコン信号）が図示しない発光部から送出される。また、このリモコン送信機１７は、リモコンコードとして二つのリモコンコードを備えている。更に、このリモコン送信機１７は、１画面キーと２画面キーを備える。前記１画面キーが操作されたときには、放送受信装置３０に対して１画面表示モードを指令するとともに、前記二つのリモコンコードのうち第１のリモコンコードを採用する。一方、前記２画面キーが操作されたときには、放送受信装置３０に対して２画面表示モードを指令するとともに、前記二つのリモコンコードのうち第２のリモコンコードを採用する。なお、１画面キー及び２画面キーにおける指令信号については第１のリモコンコードと第２のリモコンコードとで異ならないものとしてもよい。また、放送受信装置３０の販売においては、数多くのキーを備えたメインリモコン送信機と、キー数が少ないサブリモコン送信機が付属されていることがある。この場合、メインリモコン送信機が前記リモコン送信機１７となる。サブリモコン送信機は前記第１のリモコンコードだけを備える構成でよい。
【００２２】
リモコン受光器１８は、前記リモコン送信機１７（或いは、前記サブリモコン送信機）のキーが操作されたときに出力される信号光を受光し、これを電気信号に変換してシステムコントローラ１５に与える。システムコントローラ１５は、前記リモコン信号に基づいてコード解析を行い、例えばチャンネル選局指令やカーソル移動指令等をチューナやＯＳＤ回路に与える。
【００２３】
ここで、システムコントローラ１５は、１画面表示モードにおいては、第１のリモコンコードの指令信号を受け付けた場合に同一の処理を実行する。例えば、前記リモコン送信機１７において「４」のキーが押下されたときには（第１のリモコンコードによる指令信号を受け取ったとき）、チューナ１Ａに対して４ｃｈの選局を指令し、同様に、前記サブリモコン送信機の「４」のキーが押下されたときにも（第１のリモコンコードによる指令信号を受け取ったとき）、チューナ１Ａに対して４ｃｈの選局を指令する。なお、１画面表示モードにおいては、どのリモコンコードによる指令信号を受けたときも同一の処理を実行するようにしてもよい。
【００２４】
一方、システムコントローラ１５は、２画面表示モードにおいては、第１のリモコンコード及び第２のリモコンコードの両方の指令信号を受け付けるものの異なる処理を実行することになる。例えば、前記リモコン送信機１７において「４」のキーが押下されたときには（第２のリモコンコードによる指令信号を受け取ったとき）、チューナ１Ａに対して４ｃｈの選局を指令し、同様に、前記サブリモコン送信機の「４」のキーが押下されたときには（第１のリモコンコードによる指令信号を受け取ったとき）、他画面用として動作している例えばチューナ１Ｂに対して４ｃｈの選局を指令する。
【００２５】
すなわち、例えば二人のユーザーがそれぞれ自分の見たい番組を前記２画面表示モードによって見ているとすると、一方のユーザーは前記リモコン送信機１７を用いて音量調節やカーソル操作などを行えばよく、同様に、他方のユーザーは前記サブリモコン送信機を用いて音量調節やカーソル操作などを行えばよいことになり、お互いがじゃませずに自分の望みの番組を楽しむことができる。
【００２６】
リモコン送信機１７の２画面キーを押下したにもかかわらず、その指令信号を放送受信装置３０が受信できなかった場合、リモコン送信機１７は第２のリモコンコードを採用しているのに、放送受信装置３０は１画面表示モードのままであるといった状態になってしまう。このような場合、ユーザーは、放送受信装置３０が１画面表示モードのままであることに気付いて、何回か２画面キーを押下するであろう。放送受信装置３０は２画面キーの押下を検出したときに２画面表示モードとなる。ここで、リモコン送信機１７は第２のリモコンコードを採用しているのに放送受信装置３０は１画面表示モードのままである場合、放送受信装置３０がどのリモコンコードによる指令信号を受けたときも同一の処理を実行する構成であれば、リモコン送信機１７の操作で放送受信装置３０を操作することができる。
【００２７】
リモコン送信機１７の１画面キーを押下したにもかかわらず、その指令信号を放送受信装置３０が受信できなかった場合、リモコン送信機１７は第１のリモコンコードを採用しているのに、放送受信装置３０は２画面表示モードのままであるといった状態になってしまう。このような場合も、ユーザーは、放送受信装置３０が２画面表示モードのままであることに気付いて、何回か１画面キーを押下するであろう。放送受信装置３０は１画面キーの押下を検出したときに１画面表示モードとなる。ここで、リモコン送信機１７は第１のリモコンコードを採用しているのに、放送受信装置３０は２画面表示モードのままである場合、リモコン送信機１７の操作によって他の方が見ている画面が操作されてしまう。このような場合は、もう一度１画面キーを押下して２画面表示モードを終了させるか、或いは、２画面表示モードの継続を望むのであれば２画面キーを押下すればよい。
【００２８】
なお、１画面キーを備えずに２画面キーだけを備え、このキー操作によって１画面表示モードと２画面表示モードとが切り替わるようにしてもよいが、この切替指令信号を放送受信装置３０が受信できなかった場合には、リモコン送信機１７の側でのリモコンコードの状態と放送受信装置３０の画面モードとの不一致状態が生じやすくなってしまう。ただし、例えば、リモコン送信機１７に信号受信部を備え、放送受信装置３０が画面モードを通知する信号を出力し、この信号を前記信号受信部によって受け取ったリモコン送信機１７が放送受信装置３０の画面モードを知得できるようにすれば、前記不一致の状態を解消することができる。
【００２９】
図３はリモコン送信機１７′を示した平面図である。このリモコン送信機１７′は、２画面キーとスライドスイッチとを備えており、１画面キーは備えていない。前記２画面キーが押下されたときに送出される信号は、１画面表示モードと２画面表示モードとを切り替える指令信号となる。すなわち、放送受信装置３０は、前記２画面キーの押下を検出するたびに、１画面表示モードと２画面表示モードとを切り替える。また、リモコン送信機１７′は、前記スライドスイッチが左位置に在るときには第１のリモコンコードを採用し、右位置に在ることきには第２のリモコンコードを採用する。かかるリモコン送信機１７′を用いると、画面切替の操作をすることなしに、前記スライドスイッチで各画面映像に対する操作の切替を行うことができる。すなわち、例えば二人のユーザーがそれぞれ自分の見たい番組を前記２画面表示モードによって見ているとすると、一方のユーザーは前記リモコン送信機１７′においてスライドスイッチを左位置にした状態で音量調節やカーソル操作などを行えばよく、同様に、他方のユーザーは前記リモコン送信機１７′においてスライドスイッチを右位置にした状態で音量調節やカーソル操作などを行えばよいことになり、お互いがじゃませずに（選択画面を表すハイライトの表示／非表示といった画面上の変化を生じさせずに）自分の望みの番組を楽しむことができる。なお、リモコン送信機１７′のスライドスイッチには「左用  右用」の表記を行っているが、「モニタ１  モニタ２」といった表記を行ってもよい（後述する放送受信装置３１参照）。また、操作位置状態を保持できるスライドスイッチに限らず、操作位置状態を保持できないスイッチを用いてもよい。この場合、例えばリモコン送信機１７に液晶表示部を設けておき、この液晶表示部に「左用」「右用」といった表示を行ったり、或いは印刷された「左用」「右用」といった表示の一方の近傍に前記液晶表示部を用いて点印を表示するなどの手法を用いるのがよい。
【００３０】
図４は、他の実施例である放送受信装置３１を示したブロック図である。なお、説明の重複による冗長を避けるため、放送受信装置３０と共通する要素には共通の符合を付記してその説明を省略している。この放送受信装置３１は、２つの映像ソースからの二つの映像をモニタ１用の映像出力端子とモニタ２用の映像出力端子とにそれぞれ出力する。信号切替器２Ａで選択された映像信号Ｖ１は映像処理回路５Ａに供給される。映像処理回路５Ａは第１ＯＳＤ回路１６Ａからの映像情報（ＯＳＤ信号１）を映像信号Ｖ１に重畳する。映像処理回路５Ａの出力は端子１０Ａにも供給される。信号切替器２Ｂで選択された映像信号Ｖ２は映像処理回路５Ｂに供給される。映像処理回路５Ｂは第２ＯＳＤ回路１６Ｂからの映像情報（ＯＳＤ信号２）を映像信号Ｖ２に重畳する。映像処理回路５Ｂの出力は端子１０Ｂに供給される。
【００３１】
信号切替器２Ａで選択された音声信号Ａ１は、音声処理回路１１Ａに供給される。音声処理回路１１Ａの出力は端子１４Ａにも供給される。信号切替器２Ｂで選択された音声信号Ａ２は、音声処理回路１１Ｂに供給される。音声処理回路１１Ｂの出力は端子１４Ｂに供給される。
【００３２】
前記放送受信装置３１の構成であれば、例えばモニタ９及び端子１０Ｂに接続された他のモニタに別々の映像が表示されることになり、二人のユーザーはそれぞれ自分の見たい番組を別々のモニタで見ることができる。すなわち、先述した放送受信装置３０は、複数映像表示モードとして２画面表示モードを実行するのに対し、放送受信装置３１は、複数映像表示モードとして２映像独立表示モードを実行する。
【００３３】
放送受信装置３１におけるシステムコントローラ１５は、複数映像表示モードにおいて、第２のリモコンコードに基づくカーソルの移動指令やＥＰＧ表示指令等を受けたときには、第１ＯＳＤ回路１６Ａに映像情報（ＯＳＤ信号１）を生成させる。また、複数映像表示モードにおいて、第１のリモコンコードに基づくカーソルの移動指令やＥＰＧ表示指令等を受けたときには、第２ＯＳＤ回路１６Ｂに映像情報（ＯＳＤ信号２）を生成させる。
【００３４】
なお、複数の映像ソースとしてチューナを示したが、外部機器（例えば、ＤＶＤプレーヤ等）からの入力映像とチューナからの映像との２画面合成や２映像出力を行うことも可能である。勿論、複数の外部機器からの入力映像について２画面合成や２映像出力を行うことも可能である。２画面（２映像）に限らず、例えば３画面合成（３映像出力）を行うこともできる。この場合、リモコン送信機１７には、１画面キー、２画面キー、及び３画面キーを設けておくとともに、リモコンコードも３種類用意する。また、二つのサブリモコン送信機を用意し、一つは第１のリモコンコードで信号送信を行い、他の一つは第２のリモコンコードで信号送信を行うようにしておけばよい。
【図面の簡単な説明】
【００３５】
【図１】この発明の実施形態の放送受信装置を示したブロック図である。
【図２】リモコン送信機を示した説明図である。
【図３】他のリモコン送信機を示した説明図である。
【図４】この発明の他の実施形態の放送受信装置を示したブロック図である。
【図５】従来システムの２画面操作方法を説明する状態遷移図及びこの操作に用いられるリモコン送信機を示した説明図である。
【符号の説明】
【００３６】
１Ａ，１Ｂ，１Ｃ    チューナ
２Ａ，２Ｂ  信号切替器
３    セレクタ
４    ２画面合成回路
１５  システムコントローラ
１６  ＯＳＤ回路
【図１】
2007074384.tif 000003
【図２】
2007074384.tif 000004
【図３】
2007074384.tif 000005
【図４】
2007074384.tif 000006
【図５】
2007074384.tif 000007